(57)【要約】【課題】一見してどのリモコンが、どの使用者が使用するものであるのかを判断することが可能な開口部装置の電気錠用リモコンを提供すること。【解決手段】開口部装置の電気錠と通信を行うための電子基板４０が配置された本体部２０と、本体部２０に対して交換可能な交換可能部３０と、を備え、交換可能部３０は複数用意され、各交換可能部３０は、互いに識別可能な識別機能を有する開口部装置の電気錠用リモコン１である。交換可能部は、本体部２０の外周側面３０に設けられ、本体部２０の外周側面３０から突出する衝撃吸収部により構成される、【選択図】図２
2019108690.tif 000002
【特許請求の範囲】
【請求項１】
開口部装置の電気錠用リモコンであって、
前記開口部装置の電気錠と通信を行うための電子基板が配置された本体部と、
前記本体部に対して交換可能な交換可能部と、を備え、
前記交換可能部は複数用意され、各前記交換可能部は、互いに識別可能な識別機能を有する開口部装置の電気錠用リモコン。
【請求項２】
前記交換可能部は、前記本体部の外周側面に設けられ、前記本体部の外周側面から突出する衝撃吸収部により構成される、請求項１に記載の開口部装置の電気錠用リモコン。
【発明の詳細な説明】
【技術分野】
【０００１】
本発明は、玄関ドア、門扉、ガレージ等の建築用開閉装置としての開口部装置の電気錠用リモコンに関する。
【背景技術】
【０００２】
従来より、車両ドアの施錠・解除を遠隔制御するリモコンが知られている（例えば、特許文献１）。リモコンは、本体部（筐体）とエマージェンシーキー（機械キー）とを有している。エマージェンシーキーのキー部が、本体部に形成された穴に挿入された状態で、エマージェンシーキーは、本体部と一体とされて携帯される。
【先行技術文献】
【特許文献】
【０００３】
【特許文献１】特開２００８−２７０９４３号公報
【発明の概要】
【発明が解決しようとする課題】
【０００４】
上記リモコンは、通常では複数用意されており、複数の使用者のうちの各々が、特定のリモコンを使用する。しかし、一見してどのリモコンが、どの使用者が使用しているものであるのかを判断しにくい。
【０００５】
本発明は、一見してどのリモコンが、どの使用者が使用しているものであるのかを判断することが可能な開口部装置の電気錠用リモコンを提供することを目的とする。
【課題を解決するための手段】
【０００６】
上記目的を達成するため本発明は、開口部装置の電気錠用リモコン（例えば、後述の開口部装置の電気錠用リモコン１）であって、前記開口部装置の電気錠と通信を行うための電子基板（例えば、後述の電子基板４０）が配置された本体部（例えば、後述の本体部２０）と、前記本体部に対して交換可能な交換可能部（例えば、後述の電池支持部３０、環状部５０Ａ）と、を備え、前記交換可能部は複数用意され、各前記交換可能部は、互いに識別可能な識別機能を有する開口部装置の電気錠用リモコンを提供する。
【０００７】
また、前記交換可能部は、前記本体部の外周側面に設けられ、前記本体部の外周側面から突出する衝撃吸収部（例えば、後述の、環状部５０Ａ）により構成されることが好ましい。
【発明の効果】
【０００８】
本発明によれば、一見してどのリモコンが、どの使用者が使用しているものであるのかを判断することが可能な開口部装置の電気錠用リモコンを提供することができる。
【図面の簡単な説明】
【０００９】
【図１】本発明の第１実施形態に係る開口部装置の電気錠用リモコンを示す斜視図である。
【図２】本発明の第１実施形態に係る開口部装置の電気錠用リモコンを示す上方分解斜視図である。
【図３】本発明の第１実施形態に係る開口部装置の電気錠用リモコンを示す下方分解斜視図である。
【図４】本発明の第１実施形態に係る開口部装置の電気錠用リモコンからキー収納部を取り除いた状態を示す斜視図である。
【図５】本発明の第１実施形態に係る開口部装置の電気錠用リモコンの複数の電池支持部を示す斜視図である。
【図６】本発明の第２実施形態に係る開口部装置の電気錠用リモコンを示す斜視図である。
【図７】本発明の第２実施形態に係る開口部装置の電気錠用リモコンを示す上方分解斜視図である。
【発明を実施するための形態】
【００１０】
以下、本発明の第１実施形態について、図面を参照しながら詳しく説明する。
なお、本明細書において、「上方向」とは、下蓋部７０から上蓋部１０へ向かう方向（例えば、図２に示す上方向）を意味し、「下方向」とは「上方向」とは反対の方向を意味する。
【００１１】
開口部装置の電気錠用リモコン１は、ＲＦ（高周波）等の電磁波を用いて、玄関ドア、門扉、ガレージ等の建築用開閉装置としての開口部装置の電気錠と通信を行うことにより、開口部装置の電気錠の施錠・開錠をするための電気錠用リモコンである。
【００１２】
図１は、開口部装置の電気錠用リモコン１を示す斜視図である。図２は、開口部装置の電気錠用リモコン１を示す上方分解斜視図である。図３は、開口部装置の電気錠用リモコン１を示す下方分解斜視図である。
図１に示すように、開口部装置の電気錠用リモコン１は、直方体形状の外形を有しており、上蓋部１０と、本体部２０と、キー収納部６０と、下蓋部７０とを、この順で上から下へ層をなすようにして備えている。本体部２０は、図２に示すように、衝撃吸収部及び交換可能部としての電池支持部３０（３０−１）を有している。
【００１３】
電池支持部３０は、外径が長方形状に形成されており、周縁部には、側壁部３１が、上側及び下側へそれぞれ突出すると共に、全周にわたって延びている。側壁部３１は銀色に塗装されている。電池支持部３０の長手方向における一方側と他方側とのそれぞれには、電池が嵌め込まれる貫通孔３２が形成されている。貫通孔３２の周囲は、上側に向かって環状に突出する周囲突出部３３を有している。周囲突出部３３には、開口部装置の電気錠と通信を行うための電子基板４０の下面が当接して配置されている。
電池支持部３０の長手方向における一端部には、２つの開口３４を有する貫通孔が形成されている。貫通孔は、電池支持部３０において２つの開口３４を結ぶように、電池支持部３０の内部を貫通しており、貫通孔が形成されている部分は、電池支持部３０から本体部２０の外側へ突出していない。貫通孔には、図１に示すように、ストラップ等を付けるためのリング３５が通されて使用される。電池支持部３０の側壁部３１は、上蓋部１０、キー収納部６０、下蓋部７０のいずれよりも、開口部装置の電気錠用リモコン１の側方において僅かに突出しており、衝撃を吸収する衝撃吸収部を構成する。
【００１４】
電池支持部３０は、図５に示すように、電池支持部３０−２、電池支持部３０−３として複数用意され、それぞれ色の種類が異なる。このため、電気錠用リモコン１は通常複数用意されているが、そのうちのどれがだれの電気錠用リモコン１であるのか、容易に識別可能である。
【００１５】
上蓋部１０は、上方向に凸となる形状の長方形状の板状に形成されている。上蓋部１０の周縁部は、電池支持部３０の側壁部３１の上端部にほぼ一致する形状に形成されている。上蓋部１０の周縁部の僅かに内側には、周壁部１１が設けられている。周壁部１１は、下側へそれぞれ突出すると共に、全周にわたって延びている。周壁部１１の外周面が電池支持部３０の側壁部３１の上端部の内周面に当接するようにして、互いに嵌合し合うことにより、上蓋部１０は、電子基板４０全体を覆い、電池支持部３０の上側の開口を塞ぐようにして、電池支持部３０の側壁部３１の上端部に固定される。
【００１６】
上蓋部１０には、開錠用ボタン１３と、施錠用ボタン１５とが設けられている。開錠用ボタン１３は、上蓋部１０の長手方向における中央部に位置している。施錠用ボタン１５は、上蓋部１０の長手方向における一端部寄りの部分、即ち、上下方向において、後述のキー収納部６０に収納されたエマージェンシーキー６５のキーヘッドに対向する位置関係を有する部分に位置している。開錠用ボタン１３、施錠用ボタン１５の周囲には、それぞれ開錠用ボタン１３、施錠用ボタン１５に向かって下側へ窪んだ周囲窪み部１６が形成されている。上下方向において、周囲窪み部１６の最下部は、開錠用ボタン１３、施錠用ボタン１５の周囲の位置にそれぞれ一致する。
【００１７】
電子基板４０は、基板４１、基板４１に設けられた図示しない制御回路、基板の導電パターンにより構成される図示しないアンテナ、電池の正極、負極にそれぞれ接触する図示しない電極等により構成されている。電子基板４０は、上蓋部１０に固定されており、本体部２０であって、電池支持部３０と上蓋部１０との間の空間に収納され、電子基板４０に形成された電極は、電池支持部３０の貫通孔３２に配置された電池に当接している。
【００１８】
キー収納部６０は、外径が長方形状に形成されており、キー収納部６０の上側の周縁部の僅かに内側には、周壁部６１が設けられている。周壁部６１は、上側へ突出すると共に、全周にわたって延びている。周壁部６１の外周面が電池支持部３０の側壁部３１の下端部の内周面に当接するようにして、互いに嵌合し合うことにより、キー収納部６０は、電池支持部３０の下側の開口を塞ぐようにして、電池支持部３０の側壁部３１の下端部に固定される。また、キー収納部６０の下側の周縁部の僅かに内側には、溝６２が設けられている。溝６２は、上側へ窪むと共に、全周にわたって延びている。
【００１９】
キー収納部６０は、キー収納部６０の側壁６３と同様の厚さを有しており、キー収納部６０の中央には、金属製のエマージェンシーキー６５とほぼ同一の形状のキー収納凹部６４が形成されている。キー収納凹部６４には、エマージェンシーキー６５の全体が収納され、後述のように下蓋部７０がキー収納部６０に固定されて、エマージェンシーキー６５がキー収納部６０に収納されているときには、エマージェンシーキー６５のいずれの部分もキー収納部６０の外部へ露出しない。
【００２０】
下蓋部７０は、下方向に凸となる形状の長方形状の板状に形成されている。下蓋部７０の周縁部は、キー収納部６０の側壁６３の下端部に一致する形状に形成されている。下蓋部７０の周縁部の僅かに内側には、周壁部７１が設けられている。周壁部７１は、上側へそれぞれ突出すると共に、全周にわたって延びている。周壁部７１がキー収納部６０の溝６２に挿入されて、互いに嵌合し合うことにより、下蓋部７０は、エマージェンシーキー６５の全体を覆い、キー収納部６０の下側の開口を塞ぐようにして、キー収納部６０の側壁部３１の下端部に固定される。即ち、下蓋部７０は、キー収納部６０に対して着脱可能であり、且つ、キー収納部６０が取り外された状態の本体部２０に対して着脱可能である。
【００２１】
上記構成による開口部装置の電気錠用リモコン１は、以下のような態様で用いられる。
エマージェンシーキー６５を電気錠用リモコン１と共に携帯したい場合には、キー収納部６０の上側の周縁部と、電池支持部３０の下側の周縁部とが、互いに嵌合し合うことにより固定され、下蓋部７０が、エマージェンシーキー６５の全体を覆い、キー収納部６０の下側の開口を塞ぐようにして、キー収納部６０の側壁部３１の下端部に固定されて、電気錠用リモコン１とエマージェンシーキー６５とが一体とされて携帯される。
【００２２】
この状態では、図１に示すように、開口部装置の電気錠用リモコン１においては、エマージェンシーキー６５を収納するキー収納部６０が上蓋部１０と本体部２０の電池支持部３０との間に存在しているため、上下方向における厚みが大きい。また、キー収納部６０に金属製のエマージェンシーキー６５が収納されているため、電気錠用リモコン１の全体の重量が大きい。
【００２３】
エマージェンシーキー６５を電気錠用リモコン１と共に携帯したくない場合には、開口部装置の電気錠用リモコン１の使用者は、下蓋部７０をキー収納部６０から取外し、キー収納部６０を電池支持部３０から取り外す。そして使用者は、下蓋部７０の周縁部と電池支持部３０の側壁部３１の下端部とを互いに嵌合させて、下蓋部７０によって電池支持部３０の下側の開口を塞ぐようにして、下蓋部７０を電池支持部３０の側壁部３１の下端部に固定する。
【００２４】
これにより、図４に示すように、開口部装置の電気錠用リモコン１においては、エマージェンシーキー６５を収納するキー収納部６０が上蓋部１０と本体部２０の電池支持部３０との間に存在しないため、上下方向における厚みが小さく、開口部装置の電気錠用リモコン１は薄型となる。また、開口部装置の電気錠用リモコン１には、金属製のエマージェンシーキー６５が収納されていないため、電気錠用リモコン１の全体の重量が小さく、開口部装置の電気錠用リモコン１は軽量化されている。
図４は、開口部装置の電気錠用リモコン１からキー収納部６０を取り除いた状態を示す斜視図である。
【００２５】
以上説明した本実施形態の開口部装置の電気錠用リモコン１によれば、以下のような効果を奏する。
開口部装置の電気錠用リモコン１は、開口部装置の電気錠と通信を行うための電子基板４０が配置された本体部２０と、開口部装置の電気錠を開閉するためのキーを収納可能であり、本体部２０の電池支持部３０に対して着脱可能なキー収納部６０と、キー収納部６０に対して着脱可能な下蓋部７０と、を備える。
【００２６】
これにより、エマージェンシーキー６５を携帯することを望まない場合には、キー収納部６０を取り外して、エマージェンシーキー６５が開口部装置の電気錠用リモコン１に収容されていない状態として、小型且つ軽量のリモコンとして携帯することができる。
【００２７】
また、下蓋部７０は、キー収納部６０が取り外された状態の本体部２０に対して着脱可能である。これにより、キー収納部６０を本体部２０の電池支持部３０に固定している場合であっても、キー収納部６０を本体部２０の電池支持部３０から取り外した状態であっても、下蓋部７０を共通として利用して、下蓋部７０をキー収納部６０、電池支持部３０に対して、それぞれ着脱することができる。
【００２８】
また、開口部装置の電気錠用リモコン１は、開口部装置の電気錠と通信を行うための電子基板４０が配置された本体部２０と、本体部２０の外周側面に設けられ、本体部２０の外周側面から突出する衝撃吸収部としての電池支持部３０と、を備える。
【００２９】
これにより、開口部装置の電気錠用リモコン１の使用者が手を滑らせて電気錠用リモコン１を床等に落としてしまった場合であっても、電池支持部３０の側壁部３１が床等に衝突することで、上蓋部１０、電池支持部３０、キー収納部６０、及び、下蓋部７０が破損したり、電子基板４０に強い衝撃が作用することで電子基板４０の機能が損なわれたりすることを抑えることが可能である。
【００３０】
また、交換可能部としての電池支持部３０は複数用意され、各電池支持部３０は、様々な色に塗装されたものが予め複数用意されて、互いに識別可能な識別機能を有している。これにより、複数の開口部装置の電気錠用リモコン１のうちの特定の電気錠用リモコン１を、複数の使用者のうちの特定の使用者が使用する場合に、いずれの電気錠用リモコン１が特定の電気錠用リモコン１であることを容易に識別することができる。
【００３１】
次に、本発明の第２実施形態について、図６及び図７を参照しながら説明する。
図６は、開口部装置の電気錠用リモコン１Ａを示す斜視図である。図７は、本発明の第２実施形態に係る開口部装置の電気錠用リモコン１Ａを示す上方分解斜視図である。
第２実施形態においては、開口部装置の電気錠用リモコン１Ａの外形の形状が、第１実施形態における開口部装置の電気錠用リモコン１の外形の形状とは異なる。また、衝撃吸収部としての環状部５０Ａを備える点で、第１実施形態とは異なる。第１実施形態と同様の構成については、同一の符号を用いて図示し、説明を省略する。
【００３２】
開口部装置の電気錠用リモコン１Ａは、図６に示すように、楕円形状に近い丸みを帯びた長方形状の外形を有している。具体的には、図７に示すように、上蓋部１０Ａ、電池支持部３０Ａ、環状部５０Ａ、キー収納部６０Ａ、及び、下蓋部７０Ａの外形は、それぞれ平面視で楕円形状に近い形状の外形を有している。また、上蓋部１０Ａには、長方形状のボタン部が設けられている。ボタン部の一端部寄りの部分は施錠ボタン部１５Ａを構成し、ボタン部の他端部寄りの部分は開錠ボタン部１３Ａを構成する。
【００３３】
環状部５０Ａは、電池支持部３０Ａの外周側面、即ち、本体部２０Ａの外周側面に環装されている。環状部５０Ａは、銀色に塗装された上下方向に所定の幅を有する帯状で、全体形状が長方形状の環状に形成されている。環状部５０Ａにより取囲まれる空間に電池支持部３０Ａの側壁部３１Ａが圧入により嵌められることにより、本体部２０Ａの電池支持部３０Ａの外周側面に着脱可能に固定されている。これにより、環状部５０Ａは、リモコンの外周側面において、側壁部３１Ａに固定された状態で，最も外側へ突出している。また、上蓋部１０Ａ、電池支持部３０Ａ、キー収納部６０Ａ、及び、下蓋部７０Ａは、同一の樹脂材料により構成されているが、環状部５０Ａは、これらの樹脂材料よりも弾力性を有する樹脂材料により構成されている。これにより、電気錠用リモコン１Ａを使用者が誤って落とした場合であっても、環状部５０Ａが床等に衝突して衝撃を吸収しやすく構成されている。
【００３４】
環状部５０Ａは、第１実施形態における電池支持部３０と同様に複数用意されており、複数の環状部５０Ａは、互いに識別可能な識別機能を有している。具体的には環状部５０Ａは、銀色以外の様々な色に塗装されたものが予め複数用意されており、複数の使用者の好みに応じて好みの色の環状部５０Ａを、本体部２０Ａの電池支持部３０Ａの外周側面に、着脱可能に固定することができるように構成されている。
【００３５】
以上説明した本実施形態の開口部装置の電気錠用リモコン１Ａによれば、以下のような効果を奏する。
【００３６】
衝撃吸収部としての環状部５０Ａは、本体部２０Ａに対して着脱可能である。これにより、環状部５０Ａが経年劣化により硬化したり、破損したりした場合であっても、環状部５０Ａを容易に交換をすることができる。特に、例えば、衝撃吸収部としての環状部５０Ａがゴム製や樹脂製等である場合には、定期的に容易に交換することが可能となる。
【００３７】
また、交換可能部としての環状部５０Ａは、本体部２０Ａの電池支持部３０Ａの外周側面に設けられ、本体部２０Ａの外周側面から突出する衝撃吸収部を構成する。これにより、着脱可能であり交換可能な識別機能を有する環状部５０Ａが衝撃吸収部を構成しているため、開口部装置の電気錠用リモコン１Ａを誤って床等に落した場合に、破損しにくくすることができる。
【００３８】
本発明は上記実施形態に限定されるものではなく、本発明の目的を達成できる範囲での変形、改良等は本発明に含まれる。
例えば、上記実施形態では、環状部５０Ａは、樹脂材料により構成されたが、これに限定されない。例えば、環状部５０Ａは、ゴム等により構成されていてもよい。
また、交換可能部は、電池支持部３０や環状部５０Ａにより構成されたが、これらに限定されない。例えば、キー収納部６０や下蓋部７０が交換可能部を構成してもよい。
また、衝撃吸収部としての電池支持部３０の側壁部３１や環状部５０Ａは、本体部２０、２０Ａの電池支持部３０、３０Ａの側面の全周にわたって存在していたが、この構成に限定されない。例えば、本体部の電池支持部の側面の一部に、衝撃吸収部が存在していてもよい。また、本体部の側面に溝を設けて、その溝にＯリング等のパッキンにより構成される衝撃吸収部を取付けてもよい。この場合、パッキンはその溝から一部が突出するように取り付けられている。
また、下蓋部７０は、キー収納部６０及び電池支持部３０に対して着脱可能に構成されたが、これに限定されない。例えば、下蓋部は、キー収納部のみに対して着脱可能に構成されていてもよい。この場合、キー収納部が取り外され、エマージェンシーキーが開口部装置の電気錠用リモコンに収容されていない状態として電気錠用リモコンが携帯される際には、下蓋部がない状態で開口部装置の電気錠用リモコンが使用されればよい。
また、金属製のエマージェンシーキー６５の全体は、キー収納部６０、６０Ａに収納されたが、この構成に限定されない。例えば、エマージェンシーキーのキーヘッドの一部がキー収納部から外側に突出していてもよい。
【符号の説明】
【００３９】
１…開口部装置の電気錠用リモコン
２０…本体部
３０…電池支持部
４０…電子基板
５０…Ａ環状部
【図１】
2019108690.tif 000003
【図２】
2019108690.tif 000004
【図３】
2019108690.tif 000005
【図４】
2019108690.tif 000006
【図５】
2019108690.tif 000007
【図６】
2019108690.tif 000008
【図７】
2019108690.tif 000009